(57)【要約】【課題】  ユーザに意識的な動作を行わせることなく、簡単にオーディオソース毎の音響出力時の音響レベルを記憶させる。【解決手段】  スイッチパネル１５において、音源の切替時から所定時間が経過する前に音量調整がなされた場合に、オーディオコントロールＣＰＵ１４は、当該音源の基準音量レベルを更新してＲＡＭ１７に記憶し、次回の音源の切替時に、切替後の音源の音量レベルをＲＡＭ１７記憶した基準音量レベルとすべく電子ボリュームＩＣ１８を制御する。【選択図】      図１
2006099834.tif 000002
【特許請求の範囲】
【請求項１】
複数の音源のうちいずれかをユーザが切替えることにより選択し、当該選択した音源の音響出力を行うオーディオ装置において、
前記音響出力の音量調整をユーザが行うための音量調整部と、
前記音源の切替時から所定時間が経過する前に前記音量調整がなされた場合に、前記音源の基準音量レベルを更新して記憶する基準音量レベル記憶部と、
前記音源の切替時に、前記切替後の音源の音量レベルを前記基準音量レベル記憶部に記憶した基準音量レベルとする音量調節部と、
を備えたことを特徴とするオーディオ装置。
【請求項２】
請求項１記載のオーディオ装置において、
前記複数の音源のうち、いずれか一つの音源の基準音量レベルを固定の特定基準音量レベルとし、
前記基準音量レベル記憶部は、前記特定基準音量との差分音量レベルを前記基準音量レベルとして更新する、
ことを特徴とするオーディオ装置。
【請求項３】
請求項１または請求項２記載のオーディオ装置において、
前記前記音源の切替時から所定時間が経過する前に前記音量調整がなされた場合に、前記基準音量レベル記憶部に記憶すべき基準音量レベルを表示する表示部を備えたことを特徴とするオーディオ装置。
【請求項４】
請求項１記載のオーディオ装置において、
前記基準音量レベル記憶部は、音量調整後の音響出力レベルを前記基準音量レベルとして記憶する、
ことを特徴とするオーディオ装置。
【請求項５】
複数の音源のうちいずれかをユーザが切替えることにより選択し、当該選択した音源の音響出力を行うオーディオ装置を制御する制御方法において、
前記音響出力の音量調整をユーザが行うための音量調整過程と、
前記音源の切替時から所定時間が経過する前に前記音量調整がなされた場合に、前記音源の基準音量レベルを更新して記憶する基準音量レベル記憶過程と、
前記音源の切替時に、前記切替後の音源の音量レベルを前記基準音量レベル記憶過程で記憶した基準音量レベルとする音量調節過程と、
を備えたことを特徴とするオーディオ装置の制御方法。
【請求項６】
複数の音源のうちいずれかをユーザが切替えることにより選択し、当該選択した音源の音響出力を行うオーディオ装置をコンピュータにより制御するための制御プログラムにおいて、
前記音源の切替時から所定時間が経過する前にユーザにより音量調整がなされた場合に、前記音源の基準音量レベルを更新して記憶させ、
前記音源の切替時に、前記切替後の音源の音量レベルを記憶させた基準音量レベルとさせる、
ことを特徴とする制御プログラム。
【請求項７】
請求項６記載の制御プログラムにおいて、
前記複数の音源のうち、いずれか一つの音源の基準音量レベルを固定の特定基準音量レベルとし、
前記特定基準音量との差分音量レベルを前記基準音量レベルとして更新させる、
ことを特徴とする制御プログラム。
【請求項８】
請求項６または請求項７記載の制御プログラムを記録したことを特徴とするコンピュータ読取可能な記録媒体。
【発明の詳細な説明】
【技術分野】
【０００１】
本発明は、オーディオ装置、オーディオ装置の制御方法、制御プログラムおよび記録媒体に係り、特に車載用として用いられるオーディオ装置ならびにその制御方法、制御プログラムおよび記録媒体に関する。
【背景技術】
【０００２】
従来より、車載用オーディオ装置には、複数の音源（オーディオソース）が接続され、各オーディオソース毎に音響出力時の音量レベルを記憶し、オーディオソース切り替え時に記憶した音量レベルで再生を行うものが知られている（例えば、特許文献１参照）。
【特許文献１】特開平５−４１８３７号公報
【発明の開示】
【発明が解決しようとする課題】
【０００３】
しかしながら、各オーディオソース毎に音響出力時の音響レベルを記憶させるためには、ユーザがそのための指示を行い、意識的に記憶動作モードに移行させる必要があり、操作性が悪いという問題点があった。
そこで、本発明の目的は、ユーザに意識的な動作を行わせることなく、簡単にオーディオソース毎の音響出力時の音響レベルを記憶させることが可能なオーディオ装置、オーディオ装置の制御方法、制御プログラムおよび記録媒体を提供することにある。
【課題を解決するための手段】
【０００４】
上記課題を解決するため、複数の音源のうちいずれかをユーザが切替えることにより選択し、当該選択した音源の音響出力を行うオーディオ装置は、前記音響出力の音量調整をユーザが行うための音量調整部と、前記音源の切替時から所定時間が経過する前に前記音量調整がなされた場合に、前記音源の基準音量レベルを更新して記憶する基準音量レベル記憶部と、前記音源の切替時に、前記切替後の音源の音量レベルを前記基準音量レベル記憶部に記憶した基準音量レベルとする音量調節部と、を備えたことを特徴としている。
上記構成によれば、基準音量レベル記憶部は、音量調整部において音源の切替時から所定時間が経過する前に音量調整がなされた場合に、音源の基準音量レベルを更新して記憶する。
これにより、音量調整部は、音源の切替時に、切替後の音源の音量レベルを基準音量レベル記憶部に記憶した基準音量レベルとする。
【０００５】
この場合において、前記複数の音源のうち、いずれか一つの音源の基準音量レベルを固定の特定基準音量レベルとし、前記基準音量レベル記憶部は、前記特定基準音量との差分音量レベルを前記基準音量レベルとして更新するようにしてもよい。
また、前記前記音源の切替時から所定時間が経過する前に前記音量調整がなされた場合に、前記基準音量レベル記憶部に記憶すべき基準音量レベルを表示する表示部を備えるようにしてもよい。
さらに、前記基準音量レベル記憶部は、音量調整後の音響出力レベルを前記基準音量レベルとして記憶するようにしてもよい。
【０００６】
また、複数の音源のうちいずれかをユーザが切替えることにより選択し、当該選択した音源の音響出力を行うオーディオ装置を制御する制御方法は、前記音響出力の音量調整をユーザが行うための音量調整過程と、前記音源の切替時から所定時間が経過する前に前記音量調整がなされた場合に、前記音源の基準音量レベルを更新して記憶する基準音量レベル記憶過程と、
前記音源の切替時に、前記切替後の音源の音量レベルを前記基準音量レベル記憶過程で記憶した基準音量レベルとする音量調節過程と、を備えたことを特徴としている。
【０００７】
また、複数の音源のうちいずれかをユーザが切替えることにより選択し、当該選択した音源の音響出力を行うオーディオ装置をコンピュータにより制御するための制御プログラムは、前記音源の切替時から所定時間が経過する前にユーザにより音量調整がなされた場合に、前記音源の基準音量レベルを更新して記憶させ、前記音源の切替時に、前記切替後の音源の音量レベルを記憶させた基準音量レベルとさせる、ことを特徴としている。
【０００８】
この場合において、前記複数の音源のうち、いずれか一つの音源の基準音量レベルを固定の特定基準音量レベルとし、前記特定基準音量との差分音量レベルを前記基準音量レベルとして更新させるようにしてもよい。
また、上記各制御プログラムをコンピュータ読取可能な記録媒体に記録するようにしても良い。
【発明の効果】
【０００９】
本発明によれば、ユーザに意識的な動作を行わせることなく、簡単にオーディオソース毎の音響出力時の音響レベルを記憶させることができる。
【発明を実施するための最良の形態】
【００１０】
次に本発明の好適な実施の形態について図面を参照して説明する。
［１］第１実施形態
図１は、第１実施形態の車載オーディオシステムの概要構成ブロック図である。
車載オーディオシステム１は、ラジオ電波を受信してアナログ音声信号であるラジオ再生信号を出力するラジオチューナ１１と、ＣＤ（Compact Disc）を再生して、アナログ音声信号であるＣＤ再生信号を出力するＣＤプレーヤ１２と、ＭＤ（Mini Disc；登録商標）を再生して、アナログ音声信号であるＭＤ再生信号を出力するＭＤプレーヤ１３と、を備えている。
また、車載オーディオシステム１は、ＲＡＭ、ＲＯＭなどを有するマイクロコンピュータとして構成され、あらかじめＲＯＭに格納した制御プログラムによってＭＰＵが動作し、上述したように車載オーディオシステム１の各部を制御するオーディオコントロールＣＰＵ１４を備えている。
【００１１】
このオーディオコントロールＣＰＵ１４には、各種操作キーが設けられたスイッチパネル１５が接続されており、ユーザが行ったスイッチパネル１５における各種操作が入力され、オーディオコントロールＣＰＵ１４は、入力されたキー操作に対応する処理を行うこととなる。また、オーディオコントロールＣＰＵ１４には、液晶ディスプレイ、ＥＬディスプレイなどの表示装置および当該表示装置を制御するための表示ドライバを有する表示部１６が接続されており、表示部１６はオーディオコントロールＣＰＵ１４の制御下で、動作状態、再生曲名、受信ラジオチャネルなどの各種情報を表示する。
オーディオコントロールＣＰＵ１４には、外部ＲＡＭ１７が接続されており、各種データを
記憶させることとなる。
【００１２】
さらに車載オーディオシステム１は、アナログ音声信号が入力され、オーディオコントロールＣＰＵ１４の制御下で音量調整を行う電子ボリュームＩＣ１８と、電子ボリュームＩＣ１８による音量調整後のアナログ音声信号の増幅を行って、増幅アナログ音声信号として出力するパワーアンプ１９と、増幅アナログ音声信号に基づいて音響出力を行うスピーカ２０と、を備えている。
【００１３】
ここで、電子ボリュームＩＣ１８の構成について説明する。
電子ボリュームＩＣ１８は、入力された複数のアナログ音声信号のうち、オーディオコントロールＣＰＵ１４の制御下でいずれかを排他的に選択して出力するセレクタ１８Ａを備えている。セレクタ１８Ａで選択されたアナログ音声信号は、セレクタボリューム回路１８Ｂで増幅されて、音質調整回路１８Ｃに出力される。
音質調整回路１８Ｃにおいて音質調整されたアナログ音声信号は、メインボリューム回路１８Ｄでスイッチパネル１５において設定された音量に調整されてパワーアンプ１９に出力される。
この結果、スピーカ２０からは音響出力がなされることとなる。
【００１４】
図２は、車載オーディオシステムを構成する車載オーディオ装置のフロントパネルの正面図である。
この車載オーディオ装置１Ｘは、上述した車載オーディオシステム１の構成のうち、少なくとも、オーディオコントロールＣＰＵ１４、スイッチパネル１５、表示部１６、外部ＲＡＭ１７および電子ボリュームＩＣ１８を備えている。なお、パワーアンプ１９についても備えるように構成することも可能である。
車載オーディオ装置１Ｘのフロントパネルの中心部には、上述した表示部１６を構成する液晶ディスプレイ、ＥＬディスプレイなどの表示装置１６Ａが配置され、動作状態、再生トラック番号、再生曲名、受信ラジオチャネルなどの各種情報が表示される。
【００１５】
この表示装置１６Ａの表示装置の左側には、回転操作により音量調整を行い、プッシュ操作により図示しないミュート回路を動作させてミュート状態とするためのボリュームスイッチ３０が設けられている。
ボリュームスイッチ３０の左下方向には、各種調整を行うためのアジャスト画面を表示装置１６Ａに表示すべくプッシュ操作を行うアジャストスイッチ２１が配置されている。また、ボリュームスイッチ３０の左上方向には、プッシュ操作により車載オーディオ装置の動作モードを切り替える動作モードスイッチ２３が配置されている。
【００１６】
また、表示装置１６Ａの右側には、スイッチパネル１５を構成するとともに、動作モードに応じて各種入力を行うための操作キー２２が配置されている。この操作キー２２は、第１操作キー２２ａ、第２操作キー２２ｂおよび第３操作キー２２ｃを備えている。これらの第１〜第３操作キー２２ａ〜２２ｃは、シーソー式のスイッチとなっており、本実施形態では、第１操作キー２２ａ、第２操作キー２２ｂおよび第３操作キー２２ｃは、上部あるいは下部を押圧することによりそれぞれのプリセット機能を実現する。
【００１７】
次に動作を説明する。
図２は実施形態の処理フローチャートである。
以下の説明においては、ＣＤプレーヤ１２からのアナログ音声信号は音量調整の基準として用いられているものであり、ＣＤプレーヤ１２からのアナログ音声信号の音量調整は、ユーザのボリューム調整以外は行わないものとする。また、初期状態においては、ＣＤプレーヤ１２からのアナログ音声信号を再生しているものとする。
【００１８】
初期状態において、ＣＤプレーヤ１２から出力されたＣＤ再生信号は、入力抵抗Ｒ２を介して電子ボリュームＩＣ１４に入力され、セレクタ１８Ａを介してセレクタボリューム回路１８Ｂに入力される。セレクタボリューム回路１８Ｂは、ＣＤプレーヤ１２からのアナログ音声信号は音量調整の必要がないとされているので、ＣＤ再生信号の音量をそのまま音質調整回路１８Ｃに出力する。音質調整回路１８Ｃは、入力されたアナログ音声信号の音質を調整してメインボリューム回路１８Ｄに出力し、音質調整後のアナログ音声信号の音量を最終的に調整してパワーアンプ１９に出力する。この結果、パワーアンプ１９は、入力されたアナログ音声信号を所定の倍率で増幅し、スピーカ２０を駆動して音響出力を行い、ＣＤが再生されることとなる（ステップＳ１１）。
【００１９】
この状態において、ユーザがスイッチパネル１５を操作してアナログ音声信号の入力元を変更する操作（例えば、ラジオチューナ１１に変更）を行った場合には、変更後のアナログ音声信号の入力元（オーディオソース）を表示部１６に表示する（ステップＳ１２）。
具体的には、図３の初期状態における表示状態の説明図に示すように、表示装置１６Ａには、ラジオチューナ１１において、ＡＭラジオが受信されていることを示す「ＡＭ」の文字が表示されるとともに、基準音量レベルの調整レベル「ＡＤＪ  ０」の表示がなされる。ここで、基準音量レベルの調整レベル「ＡＤＪ  ０」は、基準音量の調整量が０ｄＢであり、調整を行わない状態であることを示している。
【００２０】
図４は、ＲＡＭ内における音量レベル調整用記憶テーブルの記憶状態の説明図である。
初期状態では、図４の左側に示すように、ＲＡＭ１７内における音量レベル調整用記憶テーブル１７Ａには、すべてのオーディオソース、すなわち、ＣＤ、ＡＭラジオ放送、ＡＭラジオ交通情報放送、ＦＭラジオ放送、ＭＤ、テレビ放送、ＶＴＲ（ビデオ入力）、ＡＵＸ（補助入力）等のオーディオソースの基準音量の調整量が０ｄＢとなっている旨が記憶されている。
次にオーディオコントロールＣＰＵ１４は、５秒以内にユーザがボリュームスイッチ３０においてボリューム操作を行ったか否かを判別する（ステップＳ１３）。
【００２１】
ここで、５秒以内にユーザがボリュームスイッチ３０においてボリューム操作を行ったか否かを判別する理由について説明する。
オーディオソース変更を行った場合には、各オーディオソース毎に音量が異なるため、オーディオソース変更前に聞いていたオーディオソースの音量が最適に設定されていた場合でも、再生音が大きすぎたり、小さすぎたりして、ユーザは違和感を感じることがある。従って、オーディオソース変更から５秒以内にユーザがボリュームスイッチ３０においてボリューム操作を行ったということは、オーディオソース変更後の再生音が大きすぎたり、小さすぎたりした場合であると見倣すことができる。オーディオソース変更後のオーディオソースに対応する基準音量レベルが不適であると判断することができるのである。
【００２２】
従って、ステップＳ１３の判別において、オーディオソース変更後５秒以内にボリュームスイッチ３０においてボリューム操作がなされなかった判別された場合には（ステップＳ１３；Ｎｏ）、変更後のオーディオソースに対応する基準音量レベルが最適であると判断して（ステップＳ２０）、通常動作に移行し（ステップＳ２１）、処理をステップＳ１９に移行する。
一方、ステップＳ１３の判別において、オーディオソース変更後５秒以内にボリュームスイッチ３０においてボリューム操作がなされた場合には（ステップＳ１３；Ｙｅｓ）、変更後のオーディオソースに対応する基準音量レベルが不適と判断して、ボリュームの操作状態に応じて、メインボリューム１８Ｄは調整することなく、セレクタボリューム回路１８Ｂの増幅倍率を調整し、基準音量レベルを変更し、その変更状態を、ＲＡＭの音量レベル調整用記憶テーブルに記憶するとともに表示部１６に表示する（ステップＳ１５）。
【００２３】
具体的には、図５に示すように、表示装置１６Ａには、ラジオチューナ１１において、ＡＭラジオが受信されていることを示す「ＡＭ」の文字が表示されるとともに、基準音量レベルの調整レベル「ＡＤＪ  ＋２．０」の表示がなされる。ここで、基準音量レベルの調整レベル「ＡＤＪ  ＋２．０」は、基準音量の調整量が＋２．０ｄＢであり、再生音量を２．０ｄＢ分大きくする調整を行っている状態であることを示している。
そして、ＲＡＭの音量レベル調整用記憶テーブルの内容を、図４の右側に示すように、０ｄＢから＋２．０ｄＢに変更して記憶することとなる。
【００２４】
次にオーディオコントロールＣＰＵ１４は、ボリューム操作後再び５秒以内にユーザがボリューム操作を行ったか否かを判別する（ステップＳ１６）。
ステップＳ１６の判別において、ボリューム操作後再び５秒以内にボリューム操作がなされなかった判別された場合には（ステップＳ１６；Ｎｏ）、再生中のオーディオソースに対応するボリューム操作後の基準音量レベルが最適であると判断して（ステップＳ１７）、通常動作に移行する（ステップＳ１８）。
そしてオーディオソースがＣＤに変更されたか否かを判別し（ステップＳ１９）、オーディオソースがＣＤに変更された場合には（ステップＳ１９；ＣＤ）、再び処理をステップＳ１１に移行し、ＣＤの再生を行い、以下同様の処理を行う。
【００２５】
ステップＳ１９の判別において、オーディオソースがＣＤ以外に変更された場合には（ステップＳ１９；ＣＤ以外）、処理をステップＳ１２に移行し、以下、同様の処理を行う。
一方、ステップＳ１６の判別において、ボリューム操作後再び５秒以内にボリューム操作がなされた場合には（ステップＳ１３；Ｙｅｓ）、変更後のオーディオソースに対応する基準音量レベルが不適と判断して、ボリュームの操作状態に応じて、メインボリュームは調整することなく、セレクタボリューム回路１８Ｂの増幅倍率を調整して音量レベルを変更し、その変更状態を、ＲＡＭの音量レベル調整用記憶テーブルに記憶するとともに表示部１６に表示する（ステップＳ１５）。そして、以下同様に処理を行うこととなる。
以上の説明のように、本第１実施形態によれば、ユーザに基準音量レベルの変更を意識させることなく、最適な状態に基準音量レベルを設定することができ、次回以降は、オーディオソース切替時にユーザを煩わせることなく、ユーザの好みの音量で再生を行わせることができる。
【００２６】
この結果、ユーザのボリューム操作回数が減少することとなり、車載用オーディオ装置においては、ユーザは運転操作に集中することが可能となる。
以上の説明は、ＣＤ再生中にＡＭラジオ放送にオーディオソースを切り換える場合のものであったが、地域による受信状態の違いで起こる音量レベル差や、ＶＴＲ入力／ＡＵＸ入力などの後から装着した機器による基準音量レベルをユーザにその操作を意識させることなく、最適な状態に設定することができる。
【００２７】
［２］第２実施形態
図６は、第２実施形態の車載オーディオシステムの概要構成ブロック図である。図１の第１実施形態と異なる点は、ＣＤプレーヤ１２およびＭＤプレーヤ１３の出力音声信号をディジタル音声信号とし、電子ボリュームＩＣ１８に代えて、オーディオディジタルシグナルプロセッサ（オーディオＤＳＰ）３５を設けた点である。
【００２８】
以下、異なる点を主として説明する。
車載オーディオシステム１Ａは、ラジオ電波を受信してアナログ音声信号であるラジオ再生信号を出力するラジオチューナ１１と、ＣＤ（Compact Disc）を再生して、ディジタル音声信号であるＣＤ再生信号を出力するＣＤプレーヤ１２と、ＭＤを再生して、ディジタル音声信号であるＭＤ再生信号を出力するＭＤプレーヤ１３と、を備えている。
さらに車載オーディオシステム１Ａは、アナログ音声信号およびディジタル音声信号が入力され、オーディオコントロールＣＰＵ１４の制御下で音量調整を行うオーディオＤＳＰ３５と、オーディオＤＳＰ３５による音量調整後のアナログ音声信号の増幅を行って、増幅アナログ音声信号として出力するパワーアンプ１９と、増幅アナログ音声信号に基づいて音響出力を行うスピーカ２０と、を備えている。
【００２９】
ここで、オーディオＤＳＰ３５の構成について説明する。
オーディオＤＳＰ３５は、ラジオチューナから入力されたアナログ音声信号をアナログデジタル変換してディジタル音声信号として出力するアナログ／ディジタルコンバータ（ＡＤＣ）３５Ａを備えている。また、ＣＤプレーヤ１２またはＭＤプレーヤ１３から入力されたディジタル音声信号を所定のサンプリング周波数（例えば、４８ｋＦｓ）に変換して出力するサンプリングレートコンバータ（ＳＲＣ）３５Ｂを備えている。
ＡＤＣ３５ＡあるいはＳＲＣ３５Ｂから出力されたディジタル音声信号は、セレクタ３５ＣによりオーディオコントロールＣＰＵ１４の制御下でいずれかを排他的に選択されて、ゲイン調整回路３５Ｄに入力される。
【００３０】
ゲイン調整回路３５Ｄでゲイン調整がなされたディジタル音声信号は、音質調整回路３５Ｅにおいて音質調整されて、メインボリューム回路３５Ｆに出力されて、スイッチパネル１５において設定された音量に調整される。
音量調整されたディジタル音声信号は、ディジタル／アナログコンバータ（ＤＡＣ）３５Ｇによりアナログ音声信号してパワーアンプ１９に出力される。
この結果、スピーカ２０からは音響出力がなされることとなる。
【００３１】
次に図２の処理フローチャートを再び参照して第２実施形態の動作を説明する。
以下の説明においては、ＣＤプレーヤ１２からのディジタル音声信号は音量調整の基準として用いられているものであり、ＣＤプレーヤ１２からのディジタル音声信号の音量調整は、ユーザのボリューム調整以外は行わないものとする。また、初期状態においては、ＣＤプレーヤ１２からのディジタル音声信号を再生しているものとする。
初期状態において、ＣＤプレーヤ１２から出力されたＣＤ再生信号は、オーディオＤＳＰ３５のＳＲＣ３５Ｂを介してセレクタ３５Ｃに入力されて、ゲイン調整回路３５Ｄに出力される。
【００３２】
ゲイン調整回路３５Ｄは、ＣＤプレーヤ１２からのディジタル音声信号は音量調整の必要がないとされているので、ＣＤ再生信号の音量をそのままにして音質調整回路３５Ｅに出力する。音質調整回路３５Ｅは、入力されたディジタル音声信号の音質を調整してメインボリューム３５Ｆに出力し、音質調整後のディジタル音声信号の音量を最終的に調整する。
音量調整後のディジタル音声信号は、ＤＡＣ３５Ｇにおいて、ディジタル／アナログ変換され、アナログ音声信号としてパワーアンプ１９に出力される。この結果、パワーアンプは入力されたアナログ音声信号を所定の倍率で増幅し、スピーカ２０を駆動して音響出力を行い、ＣＤが再生されることとなる（ステップＳ１１）。
【００３３】
この状態において、ユーザがスイッチパネル１５を操作して音声信号の入力元を変更する操作（例えば、ラジオチューナ１１に変更）を行った場合には、変更後の音声信号の入力元（オーディオソース）を表示部１６に表示する（ステップＳ１２）。
【００３４】
次にオーディオコントロールＣＰＵ１４は、５秒以内にユーザがボリュームスイッチ３０においてボリューム操作を行ったか否かを判別する（ステップＳ１３）。
ステップＳ１３の判別において、オーディオソース変更後５秒以内にボリュームスイッチ３０においてボリューム操作がなされなかった判別された場合には（ステップＳ１３；Ｎｏ）、変更後のオーディオソースに対応する基準音量レベルが最適であると判断して（ステップＳ２０）、通常動作に移行し（ステップＳ２１）、処理をステップＳ１９に移行する。
【００３５】
一方、ステップＳ１３の判別において、オーディオソース変更後５秒以内にボリュームスイッチ３０においてボリューム操作がなされた場合には（ステップＳ１３；Ｙｅｓ）、変更後のオーディオソースに対応する基準音量レベルが不適と判断して、ボリュームスイッチ３０の操作状態に応じて、メインボリューム３５Ｆは調整することなく、ゲイン調整回路３５Ｄは、ＡＤＣ３５Ａおよびセレクタ３５Ｃを介して入力されたラジオチューナ１１に対応するディジタル音声信号のゲインを調整し、基準音量レベルを変更し、その変更状態を、ＲＡＭ１７の音量レベル調整用記憶テーブル１７Ａに記憶するとともに表示部１６に表示する（ステップＳ１５）。
【００３６】
次にオーディオコントロールＣＰＵ１４は、ボリューム操作後再び５秒以内にユーザがボリュームスイッチ３０の操作を行ったか否かを判別する（ステップＳ１６）。
ステップＳ１６の判別において、ボリュームスイッチ３０の操作後再び５秒以内にボリュームスイッチ３０の操作がなされなかった判別された場合には（ステップＳ１６；Ｎｏ）、再生中のオーディオソースに対応するボリューム操作後の基準音量レベルが最適であると判断して（ステップＳ１７）、通常動作に移行する（ステップＳ１８）。
【００３７】
そしてオーディオソースがＣＤに変更されたか否かを判別し（ステップＳ１９）、オーディオソースがＣＤに変更された場合には（ステップＳ；ＣＤ）、再び処理をステップＳ１１に移行し、ＣＤの再生を行い、以下同様の処理を行う。
ステップＳ１９の判別において、オーディオソースがＣＤ以外に変更された場合には（ステップＳ；ＣＤ以外）、処理をステップＳ１２に移行し、以下、同様の処理を行う。
【００３８】
一方、ステップＳ１６の判別において、ボリューム操作後再び５秒以内にボリュームスイッチ３０の操作がなされた場合には（ステップＳ１３；Ｙｅｓ）、変更後のオーディオソースに対応する基準音量レベルが不適と判断して、ボリュームの操作状態に応じて、メインボリュームは調整することなく、ゲイン調整回路３５Ｄのゲイン調整を行って音量レベルを変更し、その変更状態を、ＲＡＭ１７の音量レベル調整用記憶テーブル１７Ａに記憶するとともに表示部１６に表示する（ステップＳ１５）。そして、以下同様に処理を行うこととなる。
【００３９】
以上の説明のように、本第２実施形態においても、ユーザに基準音量レベルの変更を意識させることなく、最適な状態に基準音量レベルを設定することができ、次回以降は、オーディオソース切替時にユーザを煩わせることなく、ユーザの好みの音量で再生を行わせることができる。
この結果、ユーザのボリューム操作回数が減少することとなり、車載用オーディオ装置においては、ユーザは運転操作に集中することが可能となる。
【００４０】
［３］実施形態の変形例
［３．１］第１変形例
以上の説明においては、セレクタボリューム回路１８Ｂあるいはゲイン調整回路３５Ｄなどのメインボリューム回路１８Ｄ、３５Ｆとは異なる音量調整回路で基準音量を調整する構成を採っていたが、メインボリューム回路１８Ｄ、３５Ｆのみで同様の動作を行わせることも可能である。
この場合には、メインボリューム回路１８Ｄ、３５Ｆの設定値（ボリュームステップ数、減衰量等）をオーディオソース変更後、所定時間（上述の例の場合には、５秒）の間にユーザが調整した場合には、再生対象のオーディオソース間で音量レベル合わせに違和感があったと判別して調整後のボリューム設定値を記憶する構成とすればよい。
【００４１】
具体的には、ＣＤの再生時にボリュームステップ数＝１５ステップ（減衰量表示で−５０ｄＢに相当）で再生している状態から、ＡＭラジオ放送にオーディオソースを変更し、ユーザがオーディオソース変更後、所定時間（例えば、５秒）以内にボリュームを上げる操作を行い、ボリュームステップ数＝１９（減衰量表示で−４８ｄＢ相当）に調整を行ったとする。
この場合には、ＡＭラジオ放送にオーディオソースが変更された場合のボリューム設定値として、ボリュームステップ数＝１９（減衰量表示で−４８ｄＢ相当）をＲＡＭに基準音量レベルとして記憶する。
【００４２】
その後、再びオーディオソースをＣＤに変更した場合には、ボリュームステップ数＝１５ステップ（減衰量表示で−５０ｄＢに相当）に戻すとともに、それ以降は、ＡＭラジオ放送にオーディオソースが変更されて場合には、ボリュームステップ数＝１９（減衰量表示で−４８ｄＢ相当）を基準音量レベルとして使用することとなる。
さらにこの方式を採用した場合には、オーディオソース変更から所定時間（上述の例の場合、５秒）経過後に、ユーザがボリューム調整を行った場合には、当該調整後の音量で再生を継続し、その値はＲＡＭに基準音量レベルとして記憶することはない。
この場合において、音量ボリュームは調整が細やかであることが望ましく、例えば、１ステップ当たり０．５ｄＢ程度の調整能力とすることで、快適な音量レベル調整が行える。
【００４３】
［３．２］第２変形例
以上の説明においては、ＣＤ再生からＡＭラジオ放送の再生を行う場合を例として説明したが、通常のＡＭラジオ放送局の受信ではなく、ＡＭラジオ交通情報（周波数１６２９ｋＨｚ）の受信へ移行する場合についても適用が可能である。
これは、ＡＭラジオ交通情報（周波数１６２９ｋＨｚ）の放送は変調が浅く、音量が小さいことが多く、ボリューム操作を必要とすることが多いからである。
【００４４】
また、テレビ放送については、放送局の受信状態により音量レベルに差が生じるため、頻繁に視聴する地域の放送局で音量レベルを合わせる構成とすれば、以降の再調整は不要となる。
さらに、ビデオテープレコーダなどの外部機器を接続し、ＶＴＲ、ＡＵＸなどのオーディオソースに切り替えた場合においても、初期接続の際に同様の処理を行うことで、以降の基準音量レベルは、最適化された音量レベルとなり、オーディオソース変更を行うたびにボリューム調整を行う必要もなくなる。
【００４５】
［３．３］第３変形例
以上の説明においては、基準音量の変更設定を行う場合の所定時間を５秒としていたが、適宜設定することも可能である。また、ユーザが任意の時間を設定するように構成することも可能である。
【００４６】
［３．４］第４変形例
以上の説明においては、車載オーディオシステムを例として説明したが、これに限られるものではなく、据置型オーディオ装置、オーディオ再生機能付きの携帯電話、ＰＤＡ、ＰＨＳ、携帯型パーソナルコンピュータなどの携帯型電子機器に組み込むように構成することも可能である。
【００４７】
［３．５］第５変形例
以上の説明においては、車載オーディオシステムの制御プログラムをＲＯＭに記憶している場合について説明したが、各種磁気ディスク、光ディスク、メモリカードなどの記録媒体に制御用プログラムをあらかじめ記録し、これらの記録媒体から読み込み、インストールするように構成することも可能である。また、通信インターフェースを設け、インターネット、ＬＡＮなどのネットワークを介して制御用プログラムをダウンロードし、インストールして実行するように構成することも可能である。
【図面の簡単な説明】
【００４８】
【図１】第１実施形態の車載オーディオシステムの概要構成ブロック図である。
【図２】車載オーディオシステムを構成する車載オーディオ装置のフロントパネルの正面図である。
【図３】初期状態における表示状態の説明図である。
【図４】ＲＡＭ内における音量レベル調整用記憶テーブルの記憶状態の説明図である。
【図５】音量レベル変更後の表示状態の説明図である。
【図６】図６は、第２実施形態の車載オーディオシステムの概要構成ブロック図である。
【符号の説明】
【００４９】
１…車載オーディオシステム
１Ｘ…フロントパネル
１１…ラジオチューナ
１２…ＣＤプレーヤ
１３…ＭＤプレーヤ
１４…オーディオコントロールＣＰＵ（音量調節部）
１５…スイッチパネル（音量調整部）
１６…表示部
１６Ａ…表示装置
１７…ＲＡＭ（基準音量レベル記憶部）
１７Ａ…音量レベル調整用記憶テーブル（基準音量レベル記憶部）
１８…電子ボリュームＩＣ（音量調節部）
１８Ａ…セレクタ
１８Ｂ…セレクタボリューム回路
１８Ｃ…音質調整回路
１８Ｄ…メインボリューム回路
２０…スピーカ
３０…ボリュームスイッチ
３５…オーディオＤＳＰ（音量調節部）
３５Ａ…アナログ／ディジタルコンバータ（ＡＤＣ）
３５Ｂ…サンプリングレートコンバータ（ＳＲＣ）
３５Ｃ…セレクタ
３５Ｄ…ゲイン調整回路
３５Ｅ…音質調整回路
３５Ｆ…メインボリューム回路
３５Ｇ…ディジタル／アナログコンバータ（ＤＡＣ）
【図１】
2006099834.tif 000003
【図２】
2006099834.tif 000004
【図３】
2006099834.tif 000005
【図４】
2006099834.tif 000006
【図５】
2006099834.tif 000007
【図６】
2006099834.tif 000008